(57)【要約】【課題】原稿の第１面と第２面との読み取り品質の均質化と、原稿搬送方向での読み取り品質の均質化と、の少なくともいずれかに考慮され、或いはいずれにも考慮された画像読取装置を提供する。【解決手段】画像読取装置は、給送前の原稿を支持する原稿支持部と、前記原稿支持部に支持された原稿を下流側に送り出す給送手段と、前記原稿支持部から送り出された原稿を下向きに湾曲させ反転させる反転ローラーと、前記反転ローラーにより形成された湾曲反転経路から抜け出た原稿を読み取る一の読み取り手段と、前記読み取り手段により読み取りが行われた原稿を排出する排出手段と、を備えている。【選択図】図５
2018198387.tif 000002
【特許請求の範囲】
【請求項１】
給送前の原稿を支持する原稿支持部と、
前記原稿支持部に支持された原稿を下流側に送り出す給送手段と、
前記原稿支持部から送り出された原稿を下向きに湾曲させ反転させる反転ローラーと、
前記反転ローラーにより形成された湾曲反転経路から抜け出た原稿を読み取る一の読み取り手段と、
前記読み取り手段により読み取りが行われた原稿を排出する排出手段と、
を備えた画像読取装置。
【請求項２】
給送前の原稿を支持する原稿支持部と、
前記原稿支持部に支持された原稿を下流側に送り出す給送手段と、
前記原稿支持部から送り出された原稿を湾曲させ反転させる反転ローラーと、
前記反転ローラーにより形成された湾曲反転経路に向かう原稿又は前記湾曲反転経路から抜け出た原稿を読み取る一の読み取り手段と、
前記読み取り手段により読み取りが行われた原稿を排出する排出手段と、
前記排出手段による原稿の逆送り動作を介して原稿を前記反転ローラーに導き、前記読み取り手段により読み取りが行われた原稿の面とは反対側の面を前記読み取り手段に対向させる為のスイッチバック経路と、
を備えた画像読取装置。
【請求項３】
請求項２に記載の画像読取装置において、前記反転ローラーは、前記原稿支持部から送り出された原稿を、下向きに湾曲させ反転させる、
ことを特徴とする画像読取装置。
【請求項４】
請求項２に記載の画像読取装置において、前記反転ローラーは、前記原稿支持部から送り出された原稿を、上向きに湾曲させ反転させる、
ことを特徴とする画像読取装置。
【請求項５】
請求項１または請求項３に記載の画像読取装置において、前記排出手段は、鉛直方向において前記給送手段より下側に位置する、
ことを特徴とする画像読取装置。
【請求項６】
請求項４に記載の画像読取装置において、前記排出手段は、鉛直方向において前記給送手段より上側に位置する、
ことを特徴とする画像読取装置。
【請求項７】
請求項２に記載の画像読取装置において、前記排出手段は、第１ローラーと、当該第１ローラーとの間で原稿をニップする状態と前記第１ローラーから離間する状態とを切り換え可能な第２ローラーと、を備え、
前記スイッチバック経路を経由した原稿の先端が再び前記排出手段に到達する迄に、前記第２ローラーが前記第１ローラーから離間する、
ことを特徴とする画像読取装置。
【請求項８】
請求項１に記載の画像読取装置において、前記排出手段により排出される原稿を受ける、前記原稿支持部とは別体に構成された排出受け部を備える、
ことを特徴とする画像読取装置。
【請求項９】
請求項４に記載の画像読取装置において、前記排出手段により排出される原稿は、前記原稿支持部の上側に向けて排出される、
ことを特徴とする画像読取装置。
【請求項１０】
請求項８または請求項９に記載の画像読取装置において、前記原稿支持部は、使用状態と非使用状態とを切り換え可能であるとともに、前記非使用状態において、平坦な装置上面を構成する、
ことを特徴とする画像読取装置。
【請求項１１】
請求項１から請求項１０のいずれか一項に記載の画像読取装置において、前記反転ローラーは、原稿搬送方向と交差する方向である原稿幅方向において中央領域に設けられており、
前記原稿幅方向において前記反転ローラーの両側には、前記反転ローラーの外径に対応する径を有する回転体が設けられている、
ことを特徴とする画像読取装置。
【発明の詳細な説明】
【技術分野】
【０００１】
本発明は、原稿を読み取る画像読取装置に関する。
【背景技術】
【０００２】
画像読取装置の一例であるスキャナーには、原稿自動送り装置（ＡＤＦ（Ａｕｔｏ  Ｄｏｃｕｍｅｎｔ  Ｆｅｅｄｅｒ）とも呼ばれる）が設けられ、複数枚の原稿の自動送りと読み込みとを行える様に構成されたものがある（例えば特許文献１参照）。
【先行技術文献】
【特許文献】
【０００３】
【特許文献１】特開２０１５−１２４０８０号公報
【発明の概要】
【発明が解決しようとする課題】
【０００４】
画像読取装置では、原稿の第１面の読み取り品質と第２面の読み取り品質との均質化が図られることが望ましい。加えて、特定の面（第１面或いは第２面）においても、搬送方向での読み取り品質のばらつきは好ましくない。例えば、原稿先端領域と原稿後端領域とで読み取り品質に差が生じることは好ましくない。
【０００５】
特許文献１記載の画像読取装置では、原稿搬送路を挟んで二つのイメージセンサを設けることにより原稿の第１面と第２面との読み取りを行っている。従って装置のコストアップを招くとともに、第１面の読み取り品質と第２面の読み取り品質との相違が生じやすい。  
また、特許文献１記載の画像読取装置では、搬送ローラーにより原稿を湾曲反転させる前にイメージセンサで原稿を読み取る構成を有している。その為、原稿の先端が湾曲反転経路に突入する際の搬送抵抗の増大によって一時的に搬送精度が乱れ、例えば原稿先端領域の読み取り精度が低下する虞がある。
【０００６】
そこで本発明はこの様な状況に鑑みなされたものであり、その目的は、原稿の第１面と第２面との読み取り品質の均質化と、原稿搬送方向での読み取り品質の均質化と、の少なくともいずれかに考慮され、或いはいずれにも考慮された画像読取装置を提供することにある。
【課題を解決するための手段】
【０００７】
上記課題を解決する為の、本発明の第１の態様に係る画像読取装置は、給送前の原稿を支持する原稿支持部と、前記原稿支持部に支持された原稿を下流側に送り出す給送手段と、前記原稿支持部から送り出された原稿を下向きに湾曲させ反転させる反転ローラーと、前記反転ローラーにより形成された湾曲反転経路から抜け出た原稿を読み取る一の読み取り手段と、前記読み取り手段により読み取りが行われた原稿を排出する排出手段とを備えたことを特徴とする。
【０００８】
本態様によれば、原稿支持部から送り出された原稿を下向きに湾曲させ反転させる構成であり、そして湾曲反転経路から抜け出た原稿を読み取る構成であるので、原稿の先端が湾曲反転経路に突入する際の搬送精度の乱れが読み取り結果に影響を与えない。そして湾曲反転経路の内側が反転ローラーにより形成される構成であるので、湾曲反転経路における原稿の搬送負荷が抑制され、搬送精度の低下を抑制できる。  
以上の構成により、原稿搬送方向での読み取り品質の均質化に配慮された構成とすることができる。
【０００９】
本発明の第２の態様は、給送前の原稿を支持する原稿支持部と、前記原稿支持部に支持された原稿を下流側に送り出す給送手段と、前記原稿支持部から送り出された原稿を湾曲させ反転させる反転ローラーと、前記反転ローラーにより形成された湾曲反転経路に向かう原稿又は前記湾曲反転経路から抜け出た原稿を読み取る一の読み取り手段と、前記読み取り手段により読み取りが行われた原稿を排出する排出手段と、前記排出手段による原稿の逆送り動作を介して原稿を前記反転ローラーに導き、前記読み取り手段により読み取りが行われた原稿の面とは反対側の面を前記読み取り手段に対向させる為のスイッチバック経路とを備えたことを特徴とする。
【００１０】
本態様によれば、一の読み取り手段によって原稿の面を読み取る構成である為、原稿の第１面と第２面との読み取り品質の均質化が図られる。その上で、湾曲反転経路の内側が反転ローラーにより形成される構成であるので、湾曲反転経路における原稿の搬送負荷が抑制され、搬送精度の低下を抑制できる。  
以上の構成により、原稿の第１面と第２面との読み取り品質の均質化と、原稿搬送方向での読み取り品質の均質化の双方に配慮された構成とすることができる。
【００１１】
本発明の第３の態様は、第２の態様において、前記反転ローラーは、前記原稿支持部から送り出された原稿を、下向きに湾曲させ反転させることを特徴とする。  
本態様によれば、前記反転ローラーが、前記原稿支持部から送り出された原稿を、下向きに湾曲させ反転させる構成において、上述した第２の態様の作用効果が得られる。
【００１２】
本発明の第４の態様は、第２の態様において、前記反転ローラーは、前記原稿支持部から送り出された原稿を、上向きに湾曲させ反転させることを特徴とする。  
本態様によれば、前記反転ローラーが、前記原稿支持部から送り出された原稿を、上向きに湾曲させ反転させる構成において、上述した第２の態様の作用効果が得られる。
【００１３】
本発明の第５の態様は、第１のまたは第３の態様において、前記排出手段は、鉛直方向において前記給送手段より下側に位置することを特徴とする。  
本態様によれば、前記排出手段が、鉛直方向において前記給送手段より下側に位置する構成において、上述した第１のまたは第３の態様の作用効果が得られる。
【００１４】
本発明の第６の態様は、第４の態様において、前記排出手段は、鉛直方向において前記給送手段より上側に位置することを特徴とする。  
本態様によれば、前記排出手段が、鉛直方向において前記給送手段より上側に位置する構成において、上述した第４の態様の作用効果が得られる。
【００１５】
本発明の第７の態様は、第２の態様において、前記排出手段は、第１ローラーと、当該第１ローラーとの間で原稿をニップする状態と前記第１ローラーから離間する状態とを切り換え可能な第２ローラーと、を備え、前記スイッチバック経路を経由した原稿の先端が再び前記排出手段に到達する迄に、前記第２ローラーが前記第１ローラーから離間することを特徴とする。
【００１６】
本態様によれば、前記スイッチバック経路を経由した原稿の先端が再び前記排出手段に到達する迄に、前記第２ローラーが前記第１ローラーから離間するので、原稿の先端と後端が前記排出手段において重なっても、適切な原稿搬送を実現できる。
【００１７】
本発明の第８の態様は、第１の態様において、前記排出手段により排出される原稿を受ける、前記原稿支持部とは別体に構成された排出受け部を備えることを特徴とする。  
本態様によれば、前記排出手段により排出される原稿を受ける、前記原稿支持部とは別体に構成された排出受け部を備えるので、給送前の原稿と排出する原稿との重なりを防止できる。
【００１８】
本発明の第９の態様は、第４の態様において、前記排出手段により排出される原稿は、前記原稿支持部の上側に向けて排出されることを特徴とする。  
本態様によれば、前記排出手段により排出される原稿は、前記原稿支持部の上側に向けて排出されるので、前記原稿支持部を排出受け部として利用でき、装置の低コスト化を図ることができる。
【００１９】
本発明の第１０の態様は、第８のまたは第９の態様において、前記原稿支持部は、使用状態と非使用状態とを切り換え可能であるとともに、前記非使用状態において、平坦な装置上面を構成することを特徴とする。
【００２０】
本態様によれば、前記原稿支持部は、使用状態と非使用状態とを切り換え可能であるとともに、前記非使用状態において、平坦な装置上面を構成するので、装置上面の平坦性が向上し、美観に優れるとともに装置上面に原稿等を載置した際の安定性が向上する。
【００２１】
本発明の第１１の態様は、第１から第１０の態様のいずれかにおいて、前記反転ローラーは、原稿搬送方向と交差する方向である原稿幅方向において中央領域に設けられており、前記原稿幅方向において前記反転ローラーの両側には、前記反転ローラーの外径に対応する径を有する回転体が設けられていることを特徴とする。
【００２２】
本態様によれば、前記反転ローラーは、原稿搬送方向と交差する方向である原稿幅方向において中央領域に設けられており、前記原稿幅方向において前記反転ローラーの両側には、前記反転ローラーの外径に対応する径を有する回転体が設けられているので、原稿の湾曲状態が原稿幅方向でより均一となり、スキューを抑制できる。
【図面の簡単な説明】
【００２３】
【図１】本発明に係る画像読取装置を備えたプリンターの外観斜視図。
【図２】本発明に係る画像読取装置において原稿搬送装置を装置本体に対して開いた状態を示す斜視図。
【図３】プリンターにおいて原稿搬送装置の原稿給送可能状態を示す斜視図。
【図４】本発明に係る画像読取装置の原稿搬送経路を示す側断面図。
【図５】本発明に係る画像読取装置の原稿搬送経路の模式図（第１実施形態）。
【図６】本発明に係る画像読取装置の原稿搬送経路の模式図（第１実施形態）。
【図７】本発明に係る画像読取装置の原稿搬送経路の模式図（第２実施形態）。
【図８】本発明に係る画像読取装置の原稿搬送経路の模式図（第２実施形態）。
【図９】本発明に係る画像読取装置の原稿搬送経路の模式図（第３実施形態）。
【図１０】本発明に係る画像読取装置の原稿搬送経路の模式図（第３実施形態）。
【図１１】反転ローラーと回転体の配置を示す平面図。
【発明を実施するための形態】
【００２４】
以下、本発明の実施の形態を図面に基づいて説明する。尚、各実施例において同一の構成については、同一の符号を付し、最初の実施例においてのみ説明し、以後の実施例においてはその構成の説明を省略する。
【００２５】
図１は本発明に係る画像読取装置を備えたプリンターの外観斜視図であり、図２は本発明に係る画像読取装置において原稿搬送装置を装置本体に対して開いた状態を示す斜視図であり、図３はプリンターにおいて原稿搬送装置の原稿給送可能状態を示す斜視図であり、図４は画像読取装置における原稿搬送経路を示す側断図である。
【００２６】
また、図５及び図６は本発明に係る画像読取装置の原稿搬送経路の模式図（第１実施例）であり、図７及び図８は同模式図（第２実施例）であり、図９及び図１０は同模式図（第３実施例）である。更に、図１１は反転ローラーと回転体の配置を示す平面図である。
【００２７】
尚、各図において示すＸ−Ｙ−Ｚ座標系はＸ方向が原稿の幅方向、すなわち装置奥行き方向を示し、Ｙ方向が画像読取装置内の搬送経路における原稿の搬送方向、すなわち装置幅行き方向を示し、Ｚ方向が装置高さ方向を示している。
【００２８】
先ず、図１〜図４を参照しつつ、プリンター１０の全体構成について説明する。プリンター１０は、記録装置の一例であるインクジェットプリンターとして構成されている。プリンター１０は、記録装置部１２と、画像読取装置１４Ａとを備える複合機として構成されている。画像読取装置１４Ａは、一例としてスキャナーユニットとして構成されている。  
尚、以下では第１実施形態に係る画像読取装置１４Ａを用いてプリンター１０の全体構成を説明するが、後に説明する他の実施形態に係る画像読取装置を適用しても良いことは勿論である。
【００２９】
画像読取装置１４Ａは、記録装置部１２の装置奥行き方向背面側端部に回動可能に接続されており、画像読取装置１４Ａを装置背面側に回動させることで、記録装置部１２の上部を露呈させるように構成されている。画像読取装置１４は、装置本体１６と、原稿搬送装置（オートドキュメントフィーダー）１８Ａとを備えている。
【００３０】
図２において、原稿搬送装置１８Ａは、装置本体１６の装置奥行き方向背面側端部に回動可能に接続されており、原稿搬送装置１８Ａを装置背面側に回動させることで、装置本体１６の上部に設けられた原稿載置台２０を開放することができ、原稿載置台２０に原稿をセットすることができる。原稿載置台２０は、透明かつ平坦なガラス板により構成されている。即ち画像読取装置１４Ａは、所謂フラットベッド型のスキャナとして構成されている。  
尚、本実施例における「原稿」とは、写真や文書等の原稿を一例とする。
【００３１】
図１及び図３において、原稿搬送装置１８Ａの上部には、「原稿支持部」を構成するカバー部２２と、排出トレイ２４とが設けられている。カバー部２２及び排出トレイ２４は原稿搬送装置１８Ａに対して回動可能に取り付けられており、非給送状態（図１）と、給送状態（図３）とを切り換え可能に構成されている。カバー部２２及び排出トレイ２４は、非給送状態において、Ｙ軸方向およびＸ軸方向に沿った姿勢を取り、原稿搬送装置１８Ａの上面１８ａの一部を構成している。これにより、原稿搬送装置１８Ａの上面１８ａは平坦な面を形成することができるので、装置の美的外観を向上させるとともに、装置上面に原稿等を載置した際の安定性が向上する。
【００３２】
図３において、カバー部２２及び排出トレイ２４が非給送状態から給送状態に切り替えられると、給送前の原稿を支持する原稿支持部２６が露呈する。原稿支持部２６には、複数枚の原稿をセットすることができ、給送状態を取ったカバー部２２とともに給送前の原稿を支持する原稿支持部として機能する。
【００３３】
続いて図４を参照しつつ原稿搬送装置１８Ａにおける原稿搬送路について説明する。原稿搬送装置１８Ａにおける原稿搬送路には、上流側から下流側に向かって順に、給送ローラー３０、分離ローラー３２、反転ローラー３４Ａ、原稿押さえ部３６、排出ローラー対３８、のこれらが配置されている。
【００３４】
給送ローラー３０、分離ローラー３２、反転ローラー３４Ａ、排出ローラー対３８、のこれらは、不図示の動力源であるモーターから動力を受けて回転するように構成されている。また、モーターから各ローラーへは不図示の動力伝達機構を介して動力が伝達されるが、前記動力伝達機構は、少なくとも反転ローラー３４Ａについて、モーターの回転方向に拘わらず回転方向が同じ方向となる様に構成されている。また、少なくとも排出ローラー対３８については、モーターの回転方向切り換えに伴い、回転方向が切り換わる様に構成されている。
【００３５】
次に、給送ローラー３０と対向する位置には従動ローラー４４が設けられている。従動ローラー４４は、給送ローラー３０に対して従動回転可能に構成されている。従動ローラー４４は、給送ローラー３０により給送される原稿が無くなって給送ローラー３０が回り続けた際、給送ローラー３０に連れ回る。
【００３６】
分離ローラー３２と対向する位置には、分離パッド３１が設けられている。分離パッド３１は、分離ローラー３２と当接している。分離パッド３１は、一例として高摩擦材料で形成されている。給送ローラー３０により給送された複数の原稿は、分離ローラー３２及び分離パッド３１により分離され、分離ローラー３２と接している原稿のみが原稿搬送方向下流側に配置された反転ローラー３４Ａに送られる。
【００３７】
反転ローラー３４Ａは大径のローラーであり、原稿を湾曲反転させる湾曲反転経路の内側を構成する。反転ローラー３４Ａの外周面は、ゴムに代表されるエラストマ等の高摩擦材で形成するのが好ましく、本実施例ではエチレン・プロピレン・ジエンゴム(EPDM)で形成されている。  
以上により分離ローラー３２から送り出された原稿は、反転ローラー３４Ａによって湾曲反転させられる。  
尚、符号３５は反転ローラー３４Ａとの間で原稿をニップする従動ローラーである。
【００３８】
次いで反転ローラー３４Ａの下流側には、搬送されてきた原稿を原稿載置台２０に対して密接させる原稿押さえ部３６が設けられている。一方、原稿載置台２０の下側には、ＣＩＳ（Ｃｏｎｔａｃｔ  Ｉｍａｇｅ  Ｓｅｎｓｏｒ）或いはＣＣＤ（Ｃｈａｒｇｅ  Ｃｏｕｐｌｅｄ  Ｄｅｖｉｃｅｓ）で構成される、「読み取り手段」としての読み取り部５０が設けられている。読み取り部５０はＸ方向に延設されるとともに、不図示の駆動源によりＹ方向に移動可能に設けられている。読み取り部５０は、原稿載置台２０に載置された原稿を読み取る際はＹ方向への移動を伴うが、原稿搬送装置１８Ａを利用した原稿の読み取りの際には、図４に示す様に原稿押さえ部３６と対向する位置に停止し、原稿の搬送動作を利用して読み取りが行われる。
【００３９】
そして読み取り部５０により読み取られた原稿は、原稿押さえ部３６の下流側に設けられた「排出手段」としての排出ローラー対３８に搬送され、排出ローラー対３８により排出トレイ２４に排出される。  
排出ローラー対３８は、モーターにより駆動される「第１ローラー」としての排出ローラー３８ａと、「第２ローラー」としての従動ローラー３８ｂとを備えており、更に従動ローラー３８ｂは、不図示のレリース機構によって排出ローラー３８ａとの間で原稿をニップする状態（図４及び図５の状態）と、排出ローラー３８ａから離間する状態（図６の状態）と、を切り換え可能に設けられている。
【００４０】
■■■第１実施形態■■■■■■■■■■■■■■■■■■■■■■■■■■■
以下、図５及び図６を参照しつつ本発明の第１実施形態について説明する。図５及び図６は第１実施形態に係る画像読取装置１４Ａ及び原稿搬送装置１８Ａの原稿搬送路を模式的に示したものであり、原稿搬送路上の一部のローラーやその他主要な構成要素のみを示し、他の構成要素の図示は省略している。また、原稿の通過軌跡を破線で示しているが、厳密には、原稿搬送路は各種ガイド部材によって形成されており、その図示も省略している。この点は、本実施形態に限らず、以降説明する他の実施形態でも同様である。  
尚、本実施形態及び以降説明する他の実施形態も含め、図５以降では、図４を参照しつつ説明した原稿支持部２６とカバー部２２とを纏めて「原稿支持部２７」として扱うこととする。また、図において矢印Ｆは原稿給送方向を、矢印Ｄは原稿排出方向を、それぞれ示している。
【００４１】
本実施形態は、原稿支持部２７から送り出された原稿を矢印Ａで示す様に下向きに湾曲させ反転させる反転ローラー３４Ａと、反転ローラー３４Ａにより形成された湾曲反転経路４０Ａから抜け出た原稿を読み取る一の読み取り部５０と、読み取り部５０により読み取りが行われた原稿を排出する排出ローラー対３８とを備えたことを特徴とする。
【００４２】
本態様によれば、原稿支持部２７から送り出された原稿を下向きに湾曲させ（矢印Ａ）、反転させる構成であり、そして湾曲反転経路４０Ａから抜け出た原稿を読み取る構成であるので、原稿の先端が湾曲反転経路４０Ａに突入する際の搬送精度の乱れが読み取り結果に影響を与えない。  
そして湾曲反転経路４０Ａの内側が反転ローラー３４Ａにより形成される構成であるので、湾曲反転経路４０Ａにおける原稿の搬送負荷が抑制され、搬送精度の低下を抑制できる。  
以上の構成により、原稿搬送方向での読み取り品質の均質化の双方に配慮された構成とすることができる。
【００４３】
また本実施形態では、図６に示す様に排出ローラー対３８による原稿の逆送り動作を介して原稿を反転ローラー３４Ａに導き（矢印Ｓ）、読み取り部５０により読み取りが行われた原稿の面とは反対側の面を読み取り部５０に対向させる為のスイッチバック経路４１Ａを備えている。  
即ち、一の読み取り部５０によって原稿の両面を読み取る構成である為、原稿の第１面と第２面との読み取り品質の均質化が図られる。その上で、湾曲反転経路４０Ａの内側が反転ローラー３４Ａにより形成される構成であるので、湾曲反転経路４０Ａにおける原稿の搬送負荷が抑制され、搬送精度の低下を抑制できる。  
以上の構成により、原稿の第１面と第２面との読み取り品質の均質化と、原稿搬送方向での読み取り品質の均質化の双方に配慮された構成とすることができる。
【００４４】
尚、本実施形態では、スイッチバック経路４１Ａを経由した原稿の先端が再び排出ローラー対３８に到達する迄に、図６に示す様に排出ローラー対３８を構成する従動ローラー３８ｂが、排出ローラー３８ａから離間する様に制御される。これにより、原稿の先端と後端が排出ローラー対３８で重なっても、適切な原稿搬送を実現できる。尚、従動ローラー３８ｂが排出ローラー３８ａから離間している状態では、原稿は反転ローラー３４Ａから送り力を受ける。
【００４５】
尚、本実施形態では、排出ローラー対３８は、鉛直方向において給送手段としての給送ローラー３０より下側に位置している。  
また、本実施形態では、排出ローラー対３８により排出される原稿を受ける排出受け部としての排出トレイ２４は、原稿支持部２７とは別体で構成されている。従って給送前の原稿と排出する原稿との重なりを防止できる。
【００４６】
また本実施形態では、反転ローラー３４Ａは、原稿搬送方向と交差する方向である原稿幅方向（Ｘ方向）において図１１に示す様に中央領域に設けられており、原稿幅方向において反転ローラー３４Ａの両側には、反転ローラー３４Ａの外径に対応する径を有する回転体４５が設けられている。これにより、原稿の湾曲状態が原稿幅方向でより均一となり、スキューを抑制できる。  
ここで、「反転ローラー３４Ａの外径に対応する径」とは、回転体４５の外径が反転ローラー３４Ａと同じか、或いは異なっていてもその差が僅かであって原稿の湾曲状態を原稿幅方向で均一にできるような差であることを意味する。  
尚、反転ローラー３４Ａの、原稿幅方向（Ｘ方向）における配置は種々採用することができ、原稿幅方向において適宜の間隔を空けて複数設けても良い。  
また、符号４６は回転軸を示しているが、回転体４５を、回転軸４６と一体に構成しても良い。
【００４７】
■■■第２実施形態■■■■■■■■■■■■■■■■■■■■■■■■■■■
以下、図７及び図８を参照しつつ本発明の第２実施形態に係る画像読取装置１４Ｂ及び原稿搬送装置１８Ｂについて説明する。尚、本実施形態を含め、以降説明する実施形態を示す図面においては既に説明した第１実施形態と同様の構成について同一の符号を付しており、その説明は省略する。  
本実施形態では、原稿支持部２７から送り出された原稿を、反転ローラー３４Ｂにより上向きに湾曲させ（矢印Ｂ）、反転させる点に特徴がある。  
また本実施形態では、原稿支持部２７が、排出トレイ２４の下側に設けられている。給送ローラー３０及び分離ローラー３２は、排出ローラー対３８よりも、鉛直方向下側に位置している。  
そして本実施形態では、原稿支持部２７から送り出された原稿を、湾曲反転させる前に読み取り部５０で読み取る。
【００４８】
また、本実施形態においても、図８に示す様に排出ローラー対３８による原稿の逆送り動作を介して原稿を反転ローラー３４Ｂに導き（矢印Ｓ）、読み取り部５０により読み取りが行われた原稿の面とは反対側の面を読み取り部５０に対向させる為のスイッチバック経路４１Ｂを備えている。  
即ち、一の読み取り部５０によって原稿の面を読み取る構成である為、原稿の第１面と第２面との読み取り品質の均質化が図られる。その上で、湾曲反転経路４０Ｂの内側が反転ローラー３４Ｂにより形成される構成であるので、湾曲反転経路４０Ｂにおける原稿の搬送負荷が抑制され、搬送精度の低下を抑制できる。  
以上の構成により、原稿の第１面と第２面との読み取り品質の均質化と、原稿搬送方向での読み取り品質の均質化の双方に配慮された構成とすることができる。
【００４９】
尚、本実施形態でも、スイッチバック経路４１Ｂを経由した原稿の先端が再び排出ローラー対３８に到達する迄に、図８に示す様に従動ローラー３８ｂが、排出ローラー３８ａから離間する様に制御される。これにより、原稿の先端と後端が排出ローラー対３８で重なっても、適切な原稿搬送を実現できる。
【００５０】
■■■第３実施形態■■■■■■■■■■■■■■■■■■■■■■■■■■■
以下、図９及び図１０を参照しつつ本発明の第３実施形態に係る画像読取装置１４Ｃ及び原稿搬送装置１８Ｃについて説明する。  
本実施形態は、排出ローラー対３８により排出される原稿が、原稿支持部４７の上側に向けて排出される点に特徴がある。これにより、原稿支持部４７を排出受け部として利用でき、装置の低コスト化を図ることができる。
【００５１】
より具体的には、原稿支持部４７は、原稿のエッジ位置を規制するエッジガイド４８を備えている。エッジガイド４８には、原稿支持部４７に載置される原稿の枚数を規制する庇部４９が形成されており、排出ローラー対３８により排出される原稿は、庇部４９の上側に向けて排出される。
【００５２】
また本実施形態では、原稿支持部４７から送り出された原稿を、反転ローラー３４Ｃにより上向きに湾曲させ（矢印Ｂ）、反転させる。  
そして本実施形態では、原稿支持部４７から送り出された原稿を、湾曲反転させる前に読み取り部５０で読み取る。  
また、本実施形態においても、図１０に示す様に排出ローラー対３８による原稿の逆送り動作を介して原稿を反転ローラー３４Ｃに導き（矢印Ｓ）、読み取り部５０により読み取りが行われた原稿の面とは反対側の面を読み取り部５０に対向させる為のスイッチバック経路４１Ｃを備えている。  
即ち、一の読み取り部５０によって原稿の面を読み取る構成である為、原稿の第１面と第２面との読み取り品質の均質化が図られる。その上で、湾曲反転経路４０Ｃの内側が反転ローラー３４Ｃにより形成される構成であるので、湾曲反転経路４０Ｃにおける原稿の搬送負荷が抑制され、搬送精度の低下を抑制できる。  
以上の構成により、原稿の第１面と第２面との読み取り品質の均質化と、原稿搬送方向での読み取り品質の均質化の双方に配慮された構成とすることができる。
【００５３】
尚、本実施形態でも、スイッチバック経路４１Ｃを経由した原稿の先端が再び排出ローラー対３８に到達する迄に、図１０に示す様に従動ローラー３８ｂが、排出ローラー３８ａから離間する様に制御される。これにより、原稿の先端と後端が排出ローラー対３８で重なっても、適切な原稿搬送を実現できる。
【符号の説明】
【００５４】
１０…プリンター、１２…記録装置部、１４Ａ、１４Ｂ、１４Ｃ…画像読取装置、１６…装置本体、１８Ａ、１８Ｂ、１８Ｃ…原稿搬送装置、１８ａ…上面、２０…原稿載置台、２２…カバー部、２４…排出トレイ、２６…原稿支持部、２７…原稿支持部、３０…給送ローラー、３１…分離パッド、３２…分離ローラー、３４Ａ、３４Ｂ、３４Ｃ…反転ローラー、３５…従動ローラー、３６…原稿押さえ部、３８…排出ローラー対、３８ａ…排出ローラー、４０Ａ、４０Ｂ、４０Ｃ…湾曲反転経路、４１Ａ、４１Ｂ、４１Ｃ…スイッチバック経路、４５…回転体、４６…回転軸、４７…原稿支持部、４８…エッジガイド、４９…庇部、５０…読み取り部
【図１】
2018198387.tif 000003
【図２】
2018198387.tif 000004
【図３】
2018198387.tif 000005
【図４】
2018198387.tif 000006
【図５】
2018198387.tif 000007
【図６】
2018198387.tif 000008
【図７】
2018198387.tif 000009
【図８】
2018198387.tif 000010
【図９】
2018198387.tif 000011
【図１０】
2018198387.tif 000012
【図１１】
2018198387.tif 000013